(57)【特許請求の範囲】
【請求項１】
側壁と該側壁の上面側を閉塞する上壁を有し、シリンダヘッド取付部側である下面側が開放されたロッカーカバーにおいて、前記上壁の下部に、該上壁に対して平行状に設けたプレートと、該プレートの上方であって該プレートに対して平行状に設けた第２プレートを配置して上下２層のブローバイガス通路を形成し、該第２プレートで区画された前記ブローバイガス通路の下層側をオイル分離空間、上層側をオイルミスト分離空間としたロッカーカバー。
【発明の詳細な説明】
【０００１】
【産業上の利用分野】
この発明は、ロッカーカバーの改良に関するものである。
【０００２】
【従来の技術及びその課題】
従来、ロッカーカバーは図３の底面図、及び図４のＡ−Ａ線断面図で示すような構造となっており、ロッカーカバー１内にプレート３が設けられて、このプレート３で仕切られた空間内に、ガス流速を遅くする空間Ｒ１と、複数の迂回板５１ａ，５１ｂ，５１ｃによりガス流速を速くする空間Ｒ２が形成されたものとなっており、ガス入口４から空間Ｒ１内に流れ込んだブローバイガスはガス流速が遅いために、オイルが自重で空間Ｒ１内で分離されることとなり、また、流速の速い空間Ｒ２では迂回板５１ａ，５１ｂ，５１ｃの壁にオイルミストを当て、吸着させてオイルミストを分離させ、出口管部２から外部へガスを排出するように構成されており、ブローバイガスの発生量が少ない運転条件下では、ブローバイガスと共に流れてくるオイルミストは良好に迂回板５１ａ，５１ｂ，５１ｃとか、その他、多孔板で良好に分離できるが、ブローバイガス大量発生域では、オイルはミスト状態ではなく液状の状態で流れてくるため、迂回板５１ａ，５１ｂ，５１ｃを通過したオイルが出口側空間Ｒ３に溜まり、この空間Ｒ３の油面が上昇して、オイルが出口管部２から外側へ持ち出されてしまうという問題点があった。
【０００３】
【課題を解決するための手段】
本発明は上記従来の問題点に鑑み案出したものであって、外部へ液状オイルが持ち出されることのないロッカーカバーを提供せんことを目的とし、その要旨は、側壁と該側壁の上面側を閉塞する上壁を有し、シリンダヘッド取付部側である下面側が開放されたロッカーカバーにおいて、前記上壁の下部に、該上壁に対して平行状に設けたプレートと、該プレートの上方であって該プレートに対して平行状に設けた第２プレートを配置して上下２層のブローバイガス通路を形成し、該第２プレートで区画された前記ブローバイガス通路の下層側をオイル分離空間、上層側をオイルミスト分離空間としたことである。
【０００４】
【実施例】
以下、本発明の実施例を図面に基づいて説明する。
図１は第１実施例であり、この図１は、前記図３のＡ−Ａ線断面を示すものであり、ロッカーカバー１は、シリンダヘッドに取り付けられるシリンダヘッド取付部１ａ側が解放され、左側壁１ｂと右側壁１ｃの上面には上壁１ｄが形成されて、上面側が閉塞されており、また、上壁１ｄの右端側には更に立上壁１ｅが形成されて、立上壁１ｅから水平状に上部壁１ｆが形成され、上部壁１ｆの右端側に外側に突出して出口管部２が一体形成されたものとなっており、このロッカーカバー１の前記上壁１ｄの下部に、水平状にプレート３が配置されており、このプレート３は、上壁１ｄと平行状をなす水平片部３ａと、水平片部３ａの左端で垂直に立ち上がる垂直片部３ｂで断面Ｌ字状に形成されており、垂直片部３ｂの上端と上壁１ｄ間にガス入口４が形成され、プレート３の水平片部３ａとロッカーカバーの上壁１ｄ間にはオイル分離空間Ｒ１が形成されたものとなっている。
【０００５】
また、前記立上壁１ｅと上部壁１ｆで形成される小部屋内はオイルミスト分離空間Ｒ２となっており、このオイルミスト分離空間Ｒ２は、Ｌ字状の小プレート５で区画されて、その内部に迂回板６が垂設されたものとなっており、小プレート５は前記上壁１ｄとほぼ同一高さに配置されたものとなっており、本例では、下側のオイル分離空間Ｒ１の上方にオイルミスト分離空間Ｒ２が形成されたものとなっている。
【０００６】
前記ガス入口４からオイル分離空間Ｒ１内に入ったブローバイガスは、オイル分離空間Ｒ１内では流速が遅く、ブローバイガス中のオイルはその自重により良好に落下してプレート３上に分離されるものであり、オイルが良好に分離された後に、ブローバイガスは立上壁１ｅに沿って上方へ向かい、オイルミスト分離空間Ｒ２内に入り、このオイルミスト分離空間Ｒ２内には迂回板６が設けられているため流速が速められて、ブローバイガス中に含まれるオイルミストが迂回板６に当たり吸着され、良好にオイルミストがこのオイルミスト分離空間Ｒ２内で分離されるものであり、オイルミストが分離された後のガスが出口管部２から外部に流出されるものである。
【０００７】
本例では、オイルミスト分離空間Ｒ２はオイル分離空間Ｒ１の上方に配置形成されているため、ブローバイガスが大量発生した運転条件下において、オイル分離空間Ｒ１内にオイルが溜まっても、このオイルは上方のオイルミスト分離空間Ｒ２内に流れ込むことはなく、従ってオイルが出口管部２から外部に持ち出されることはない。
【０００８】
次に、図２は第２実施例を示す断面構成図であり、図２では、内部に設けられたプレート３の水平片部３ａの右端側にガス入口４を形成し、さらにプレート３とロッカーカバー１の上壁１ｄ間に、平行状に上部プレート７を設けたものであり、この上部プレート７とロッカーカバー１の上壁１ｄ間の空間内をオイルミスト分離空間Ｒ２とし、上部プレート７とプレート３間の空間をオイル分離空間Ｒ１に形成したものであり、上部プレート７には複数の連通孔７ａを形成させて、オイル分離空間Ｒ１とオイルミスト分離空間Ｒ２を、この連通孔７ａで連通させており、また、オイルミスト分離空間Ｒ２内には流速を速くするために複数の迂回板６，６を設けたものである。
【０００９】
このような構造においても、オイル分離空間Ｒ１の上方にオイルミスト分離空間Ｒ２が形成されているため、流速の遅いオイル分離空間Ｒ１内でブローバイガス中のオイルが良好に分離されて、オイル分離空間Ｒ１内にオイルが溜まった場合にも、オイルは上方のオイルミスト分離空間Ｒ２へは流れ込まないために、オイルミスト分離空間Ｒ２内に液状のオイルが溜まることはなく、オイルミスト分離空間Ｒ２内では高速でブローバイガスを流して良好に迂回板６の部分でオイルミストを分離させることができるものである。
【００１０】
【発明の効果】
本発明は、側壁と該側壁の上面側を閉塞する上壁を有し、シリンダヘッド取付部側である下面側が開放されたロッカーカバーにおいて、前記上壁の下部に、該上壁に対して平行状に設けたプレートと、該プレートの上方であって該プレートに対して平行状に設けた第２プレートを配置して上下２層のブローバイガス通路を形成し、該第２プレートで区画された前記ブローバイガス通路の下層側をオイル分離空間、上層側をオイルミスト分離空間としたことにより、ブローバイガスの大量発生時にオイル分離空間内にオイルが溜まっても、この溜まった液状のオイルが上方のオイルミスト分離空間に入り込むことはなく、オイルミスト分離空間内ではオイルミストのみを良好に分離させることができ、外部に液状のオイルが持ち出されることがない。
【図面の簡単な説明】
【図１】  第１実施例のロッカーカバーの断面構成図である。
【図２】  第２実施例のロッカーカバーの断面構成図である。
【図３】  従来のロッカーカバーの底面図である。
【図４】  図３のＡ−Ａ線断面図である。
【符号の説明】
１  ロッカーカバー
１ｄ  上壁
２  出口管部
３  プレート
４  ガス入口
５  小プレート
６  迂回板
７  上部プレート
７ａ  連通孔
Ｒ１  オイル分離空間
Ｒ２  オイルミスト分離空間
【図１】
0003840586.tif 000002
【図２】
0003840586.tif 000003
【図３】
0003840586.tif 000004
【図４】
0003840586.tif 000005